【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
下記のａ）およびｂ）を含む組成物：
ａ）酸化的分解、熱分解または光誘導分解を受けやすい有機物質；および
ｂ）式Ｉ
【化１】
2014514419.tif 000001
［式中、
ｎが１であるとき、
Ａは、−Ｃ（＝Ｏ）−ＯＲ'1、−Ｃ（＝Ｏ）−Ｎ（Ｒ'2）（Ｒ'3）、−ＣＮ、非置換であるか、または、１個もしくは複数個のＣ1〜Ｃ8−アルキル、Ｃ1〜Ｃ4−アルコキシ、Ｃ5〜Ｃ7−シクロアルキルもしくはハロゲンによって置換されているフェニル、−Ｈ、あるいは、−ＳＯ2−フェニルである；
ｎが２であるとき、
Ａは、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
Ａは、Ｃ3〜Ｃ12−アルカン−トリ−（オキシカルボニル）、３−エチル−３−アザペンタン−１，５，２'−トリ−（オキシカルボニル）、１，４，７−トリアザヘプタン−１，４，７−トリカルボニル、１，４，８−トリアザオクタン−１，４，８−トリカルボニルまたは１，５，９−トリアザノナン−１，５，９−トリカルボニルである；
ｎが４であるとき、
Ａは、Ｃ4〜Ｃ16−アルカン−テトラ−（オキシカルボニル）、１，４，７，１０−テトラアザデカン−１，４，７，１０−テトラカルボニル、１，４，８，１１−テトラアザウンデカン−１，４，８，１１−テトラカルボニルまたは１，５，８，１２−テトラアザドデカン−１，５，８，１２−テトラカルボニルである；
ｎは、１、２、３または４である；
Ｒ1、Ｒ2、Ｒ3、Ｒ4、Ｒ5、Ｒ6、Ｒ7、Ｒ8、Ｒ9およびＲ10は互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1は、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、１個のヒドロキシル基によって置換されているＣ2〜Ｃ8−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する；
Ｒ''1およびＲ''2は互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキルである；
Ｚ1は、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２'−ジイルである；かつ
Ｚ2は、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである］の化合物。
【請求項２】
式Ｉにおいて、
ｎが１であるとき、
Ａが、−Ｃ（＝Ｏ）−ＯＲ'1、−Ｃ（＝Ｏ）−Ｎ（Ｒ'2）（Ｒ'3）、−ＣＮ、非置換であるか、または、１個〜３個のＣ1〜Ｃ8−アルキルもしくはＣ1〜Ｃ4−アルコキシによって置換されているフェニル、−Ｈ、あるいは、−ＳＯ2−フェニルである；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
Ａが、プロパン−１，２，３−トリ−（オキシカルボニル）、２−メチル−プロパン−１，２，３−トリ−（オキシカルボニル）、２−メチル−ブタン−１，２，１'−トリ−（オキシカルボニル）、２，２−ジメチル−ブタン−１，１'，１''−トリ−（オキシカルボニル）、２，２−ジメチル−ペンタン−１，１'，１''−トリ−（オキシカルボニル）、３−エチル−３−アザペンタン−１，５，２'−トリ−（オキシカルボニル）である；
ｎが４であるとき、
Ａが２，２−ジメチル−プロパン−１，３，１'，１''−テトラ−（オキシカルボニル）である；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、フェニルまたはＣ1〜Ｃ4−アルコキシであり、ただし、少なくともＲ1またはＲ5がＨであり、かつ、少なくともＲ6またはＲ10がＨである；
Ｒ'1が、Ｈ、Ｃ1〜Ｃ22−アルキル、Ｃ2〜Ｃ18−アルケニル、非置換であるか、または、１個のＣ1〜Ｃ4−アルキルによって置換されているＣ5〜Ｃ7−シクロアルキル、Ｃ5〜Ｃ7−シクロアルキル−Ｃ1〜Ｃ4−アルキル、Ｃ6〜Ｃ10−アリール−Ｃ1〜Ｃ4−アルキル、１個もしくは複数個の酸素原子によって中断されているＣ4〜Ｃ12−アルキル、２，２，６，６−テトラメチルピペリジン−４−イル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルである；
Ｒ'2およびＲ'3が互いに独立して、Ｈ、Ｃ1〜Ｃ22−アルキル、Ｃ2〜Ｃ18−アルケニル、非置換であるか、もしくは、１個のＣ1〜Ｃ4−アルキルによって置換されているＣ5〜Ｃ7−シクロアルキル、Ｃ6〜Ｃ10−アリール、Ｃ5〜Ｃ7−シクロアルキル−Ｃ1〜Ｃ4−アルキル、Ｃ6〜Ｃ10−アリール−Ｃ1〜Ｃ4−アルキル、２，２，６，６−テトラメチルピペリジン−４−イル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルであるか、あるいは、Ｒ'2およびＲ'3は、それらが結合する窒素原子と一緒になって、ピロリジン、ピペリジンまたはモルホリンを形成する；
Ｒ''1およびＲ''2が互いに独立して、Ｈ、Ｃ1〜Ｃ22−アルキル、Ｃ2〜Ｃ18−アルケニル、非置換であるか、もしくは、１個のＣ1〜Ｃ4−アルキルによって置換されているＣ5〜Ｃ7−シクロアルキル、Ｃ5〜Ｃ7−シクロアルキル−Ｃ1〜Ｃ4−アルキル、Ｃ6〜Ｃ10−アリール−Ｃ1〜Ｃ4−アルキルである；
Ｚ1が、Ｃ2〜Ｃ12−アルキレン、Ｃ5〜Ｃ7−シクロアルキレン、Ｃ5〜Ｃ7−シクロアルカン−ビス−（Ｃ1〜Ｃ4−アルキレン）、Ｃ6〜Ｃ10−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、硫黄原子によって中断されているＣ4〜Ｃ8−アルキレン、３−（Ｃ1〜Ｃ4−アルキル）−３−アザペンタン−１，５−ジイル、４−（Ｃ1〜Ｃ4−アルキル）−４−アザヘプタン−１，７−ジイルまたは１−エチル−２，２，６，６−テトラメチルピペリジン−４，２'−ジイルである；かつ
Ｚ2が、Ｃ2〜Ｃ12−アルキレン、Ｃ5〜Ｃ7−シクロアルキレン、Ｃ6〜Ｃ14−アリーレン、Ｃ5〜Ｃ7−シクロアルカン−ビス（Ｃ1〜Ｃ4−アルキレン）、Ｃ6〜Ｃ10−アレーン−ビス−（Ｃ1〜Ｃ4−アルキレン）、１個もしくは複数個の酸素原子によって中断されているＣ4〜Ｃ12−アルキレン、３−（Ｃ1〜Ｃ4−アルキル）−３−アザペンタン−１，５−ジイルまたは４−（Ｃ1〜Ｃ4−アルキル）−４−アザヘプタン−１，７−ジイルである、
請求項１に記載の組成物。
【請求項３】
式Ｉにおいて、
ｎが１であるとき、
Ａが、−Ｃ（＝Ｏ）−ＯＲ'1、−Ｃ（＝Ｏ）−Ｎ（Ｒ'2）（Ｒ'3）、−ＣＮ、フェニル、−Ｈまたは−ＳＯ2−フェニルである；
ｎが２であるとき、
Ａが−Ｃ（＝Ｏ）−Ｏ−Ｚ1−Ｏ−Ｃ（＝Ｏ）−である；
ｎが１または２である；
Ｒ1、Ｒ2、Ｒ4、Ｒ5、Ｒ6、Ｒ7、Ｒ9およびＲ10がＨである；
Ｒ3およびＲ8が互いに独立して、ＨまたはＣ1〜Ｃ4−アルコキシである；
Ｒ'1が、Ｈ、Ｃ1〜Ｃ12−アルキル、非置換であるＣ5〜Ｃ7−シクロアルキル、フェニル−Ｃ1〜Ｃ4−アルキル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルである；
Ｒ'2およびＲ'3が互いに独立して、Ｈ、Ｃ1〜Ｃ12−アルキル、非置換であるＣ5〜Ｃ7−シクロアルキル、Ｃ6〜Ｃ10−アリール、フェニル−Ｃ1〜Ｃ4−アルキル、１−（Ｃ1〜Ｃ6−アルキル）−２，２，６，６−テトラメチルピペリジン−４−イルまたは１−（Ｃ1〜Ｃ6−アルコキシ）−２，２，６，６−テトラメチルピペリジン−４−イルであるか、あるいは、Ｒ'2およびＲ'3は、それらが結合する窒素原子と一緒になって、ピロリジン、ピペリジンまたはモルホリンを形成する；かつ
Ｚ1がＣ5〜Ｃ7−シクロアルキレンである、
請求項１または２に記載の組成物。
【請求項４】
前記有機物質が、ポリマー、ワックス、鉱油および脂肪からなる群から選択される、請求項１〜３のいずれか一項に記載の組成物。
【請求項５】
前記有機物質が半合成または合成のポリマーである、請求項１〜４のいずれか一項に記載の組成物。
【請求項６】
成分ａ）が、ポリオレフィン、ポリエーテルポリオールまたはポリウレタンである、請求項５に記載の組成物。
【請求項７】
成分ｂ）が成分ａ）の質量に基づいて０．０００５％〜１０％の量で含有される、請求項１〜６のいずれか一項に記載の組成物。
【請求項８】
成分として、
ｃ）さらなる添加物
を含む、請求項１〜７のいずれか一項に記載の組成物。
【請求項９】
成分ｃ）として、ホスファイトまたはホスホナイト、酸掃去剤、フェノール系酸化防止剤およびアミン系酸化防止剤からなる群から選択される添加物を含む、請求項８に記載の組成物。
【請求項１０】
成分ｂ）対成分ｃ）の質量比が４：１〜１：２０である、請求項８または９に記載の組成物。
【請求項１１】
成分ｄ）として、ホスファイトまたはホスホナイト、酸掃去剤、フェノール系酸化防止剤あるいはアミン系酸化防止剤からなる群から選択される第２のさらなる添加物を含む、請求項８〜１０のいずれか一項に記載の組成物。
【請求項１２】
酸化的分解、熱分解または光誘導分解を受けやすい有機物質を保護するための方法であって、請求項１において定義される有機物質に、請求項１において定義される式Ｉの化合物を配合するか、または適用する工程を含む前記方法。
【請求項１３】
式Ｉ
【化２】
2014514419.tif 000002
［式中、
ｎが１であるとき、
Ａが、−Ｃ（＝Ｏ）−ＯＲ'1、−Ｃ（＝Ｏ）−Ｎ（Ｒ'2）（Ｒ'3）または−ＳＯ2−フェニルである；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
Ａが、Ｃ3〜Ｃ12−アルカン−トリ−（オキシカルボニル）、３−エチル−３−アザペンタン−１，５，２'−トリ−（オキシカルボニル）、１，４，７−トリアザヘプタン−１，４，７−トリカルボニル、１，４，８−トリアザオクタン−１，４，８−トリカルボニルまたは１，５，９−トリアザノナン−１，５，９−トリカルボニルである；
ｎが４であるとき、
Ａが、Ｃ4〜Ｃ16−アルカン−テトラ−（オキシカルボニル）、１，４，７，１０−テトラアザデカン−１，４，７，１０−テトラカルボニル、１，４，８，１１−テトラアザウンデカン−１，４，８，１１−テトラカルボニルまたは１，５，８，１２−テトラアザドデカン−１，５，８，１２−テトラカルボニルである；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1が、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する；
Ｒ''1およびＲ''2が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキルである；
Ｚ1が、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２'−ジイルである；かつ
Ｚ2が、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである］の化合物。
【請求項１４】
式Ｉにおいて、
ｎが１であるとき、
Ａが−Ｃ（＝Ｏ）−ＯＲ'1または−Ｃ（＝Ｏ）−Ｎ（Ｒ'2）（Ｒ'3）である；
ｎが２であるとき、
Ａが、−Ｃ（＝Ｏ）−Ｏ−Ｚ1−Ｏ−Ｃ（＝Ｏ）−、−Ｃ（＝Ｏ）−Ｎ（Ｒ''1）−Ｚ2−Ｎ（Ｒ''2）−Ｃ（＝Ｏ）−またはピペラジン−Ｎ，Ｎ'−ビスカルボニルである；
ｎが３であるとき、
ＡがＣ3〜Ｃ12−アルカン−トリ−（オキシカルボニル）である；
ｎが４であるとき、
ＡがＣ4〜Ｃ16−アルカン−テトラ−（オキシカルボニル）である；
ｎが、１、２、３または４である；
Ｒ1、Ｒ2、Ｒ3、Ｒ4、Ｒ5、Ｒ6、Ｒ7、Ｒ8、Ｒ9およびＲ10が互いに独立して、Ｈ、Ｃ1〜Ｃ8−アルキル、Ｃ4〜Ｃ8−シクロアルキル、フェニル、Ｃ1〜Ｃ4−アルコキシまたはハロゲンである；
Ｒ'1が、Ｈ、Ｃ1〜Ｃ22−アルキル、Ｃ2〜Ｃ18−アルケニル、Ｃ3〜Ｃ12−アルキン−イル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、二環式もしくは三環式のＣ5〜Ｃ20−アルキル、Ｃ6〜Ｃ14−アリール−Ｃ1〜Ｃ4−アルキル、１個もしくは複数個のヒドロキシル基によって置換されているＣ2〜Ｃ12−アルキル、１個もしくは複数個の酸素原子によって中断されているＣ4〜Ｃ12−アルキル、１個の硫黄原子によって中断されているＣ4〜Ｃ18−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルである；
Ｒ'2およびＲ'3が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ6〜Ｃ10−アリール、Ｃ4〜Ｃ8−シクロアルキル−Ｃ1〜Ｃ4−アルキル、Ｃ6〜Ｃ14−アリール−Ｃ1〜Ｃ4−アルキル、ヒドロキシル基によって置換されているＣ2〜Ｃ6−アルキル、２，２，６，６−テトラメチルピペリジン−４−イル、１−（Ｃ1〜Ｃ8−アルキル）−２，２，６，６−テトラメチルピペリジン−４−イルまたは１−（Ｃ1〜Ｃ8−アルコキシ）−２，２，６，６−テトラメチルピペリジン−４−イルであるか、あるいは、Ｒ'2およびＲ'3は、それらが結合する窒素原子と一緒になって、５員、６員または７員の飽和複素環を形成する；
Ｒ''1およびＲ''2が互いに独立して、Ｈ、Ｃ1〜Ｃ22−アルキル、Ｃ2〜Ｃ18−アルケニル、非置換であるか、もしくは、１個〜３個のＣ1〜Ｃ4−アルキルによって置換されているＣ4〜Ｃ8−シクロアルキル、Ｃ4〜Ｃ8−シクロアルキル−Ｃ1〜Ｃ4−アルキル、Ｃ6〜Ｃ14−アリール−Ｃ1〜Ｃ4−アルキルである；
Ｚ1が、Ｃ2〜Ｃ12−アルキレン、Ｃ4〜Ｃ8−シクロアルキレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、１個もしくは複数個のヒドロキシル基によって置換されているＣ3〜Ｃ6−アルキレン、１個もしくは複数個の酸素原子によって中断されているＣ4〜Ｃ12−アルキレン、ヘキサヒドロ−フロ［３，２−ｂ］フラン−３，６−ジイル、硫黄原子によって中断されているＣ4〜Ｃ8−アルキレン、３−（Ｃ1〜Ｃ8−アルキル）−３−アザペンタン−１，５−ジイル、４−（Ｃ1〜Ｃ8−アルキル）−４−アザヘプタン−１，７−ジイルまたは１−エチル−２，２，６，６−テトラメチルピペリジン−４，２'−ジイルである；かつ
Ｚ2が、Ｃ2〜Ｃ12−アルキレン、Ｃ4〜Ｃ8−シクロアルキレン、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス−（Ｃ1〜Ｃ4−アルキレン）、１個もしくは複数個の酸素原子によって中断されているＣ4〜Ｃ12−アルキレン、３−（Ｃ1〜Ｃ8−アルキル）−３−アザペンタン−１，５−ジイルまたは４−（Ｃ1〜Ｃ8−アルキル）−４−アザヘプタン−１，７−ジイルである、
請求項１３に記載の式Ｉの化合物。
【請求項１５】
酸化的分解、熱分解または光誘導分解を受けやすい有機物質を、酸化、熱または光による分解に対して安定化するための、請求項１において定義される式Ｉの化合物の使用。
【請求項１６】
ｂ）請求項１において定義される式Ｉの化合物、および
ｃ）ホスファイトまたはホスホナイト、酸掃去剤、フェノール系酸化防止剤あるいはアミン系酸化防止剤からなる群から選択されるさらなる添加物
を含む添加組成物。
【請求項１７】
成分ｂ）対成分ｃ）の質量比が１０：１〜１：３０である、請求項１６に記載の添加組成物。
【請求項１８】
成分ｄ）として、第２のさらなる添加物を含む、請求項１６または１７に記載の添加組成物。
【請求項１９】
第２のさらなる添加物が、ホスファイトまたはホスホナイト、酸掃去剤、フェノール系酸化防止剤あるいはアミン系酸化防止剤からなる群から選択される、請求項１８に記載の添加組成物。
【請求項２０】
成分ｂ）対成分ｃ）の質量比が１０：１〜３０：１であり、かつ成分ｂ）対成分ｄ）の質量比が１０：１〜１：３０である、請求項１８または１９に記載の添加組成物。